(57)【特許請求の範囲】
【請求項１】
原液供給口および固分排出口と、
回転軸の外周に挿入され、濾液を通過させる濾過溝が形成された複数の積層濾体と、を備え、
前記複数の積層濾体は、前記原液供給口と前記固分排出口との間で上下２列に配置されており、
前記積層濾体は、前記回転軸の軸方向に突出する凸子を一体的に有する複数の凸子濾片と、前記軸方向に移動可能なように前記凸子濾片間に配置され、前記凸子に嵌め込まれる濾過プレートとを含む、固液分離装置。
【請求項２】
前記濾過プレートは、前記凸子濾片よりも大きな直径を有する複数の大径濾過プレートと、前記凸子濾片よりも小さな直径を有する複数の小径濾過プレートとを有する、請求項１に記載の固液分離装置。
【請求項３】
前記積層濾体は、隣接する前記凸子濾片間の隙間に、前記大径濾過プレートおよび前記小径濾過プレートが交互に１つずつ配置されている、請求項２に記載の固液分離装置。
【請求項４】
上下２列に配置される前記複数の積層濾体は、各列ごとに、各々の前記積層濾体が互いに隣接して配置され、
互いに隣接して配置される一方の前記積層濾体の前記大径濾過プレートの外周縁が、他方の前記積層濾体の前記濾過溝内で前記小径濾過プレートの外周縁と対向するように配置されている、請求項２または３に記載の固液分離装置。
【請求項５】
前記凸子は、前記凸子濾片の前記軸方向の一方表面に設けられる第１凸子と、前記凸子濾片の前記軸方向の他方表面に設けられ、前記軸方向において前記第１凸子よりも突出高さが高くなる第２凸子とを有する、請求項１〜４のいずれか１項に記載の固液分離装置。
【請求項６】
前記凸子は、前記凸子濾片の表面において、周方向に間隔を隔てて複数設けられている、請求項１〜５のいずれか１項に記載の固液分離装置。
【請求項７】
前記凸子の頂部には、窪みが設けられている、請求項１〜６のいずれか１項に記載の固液分離装置。
【請求項８】
前記凸子濾片は、樹脂材料により前記凸子が一体的に形成されている、請求項１〜７のいずれか１項に記載の固液分離装置。
【発明の詳細な説明】
【技術分野】
【０００１】
本発明は例えば、下水処理場、し尿処理場、畜産農業、食料品製造業、化学工業などの汚泥を含む排水の処理施設において発生する、液体中に含まれている汚泥の固形物、特に懸濁固形物（ＳＳ）を分離した固分と液分を各別に取り出すための装置に関するものである。
【背景技術】
【０００２】
現在、下水処理場、し尿処理場、畜産農業、食料品製造業、化学工業などの排水の処理場において発生する汚泥を含む排水即ち懸濁汚水は環境破壊の問題から、そのままでは排水することが出来ないことは周知のことであり、懸濁汚水に含まれる懸濁固形物（ＳＳ）を可能な限り除去した状態で処理することが課題となっている。
【０００３】
そのために、大と小および間隙保持用の直径の異なる各濾片を一組として、それら複数組を回転軸に挿嵌固定された積層濾体を排出方向へ向かって等間隔に複数配列させて、該積層濾体を同一方向に回転させて、相隣接する積層濾体の一方における送り濾片の外周縁が他方の積層濾体における間隙濾片の外周縁に接近した態様とし、この積層濾体の、送り濾片は前後に隣接する間隙濾片と向き合うように組み合わされており、各積層濾体の回転により、送り濾片は間隙濾片の細い隙間に食い込む形で回転することにより、濾過面の目詰りを防止している懸濁液を濾過する装置は公知である（例えば、特許文献１参照）。
【０００４】
また、別に背景技術として、ボルトとナットを用いてスペーサを取付けた固定リングを複数枚積層させて液体ガイド溝を構成し、その内周に遊動リングを配置し、スクリューコンベアを駆動させて遊動リングを偏心回転させることで汚泥水を固形分と水分に分離を行う装置も公知である（例えば、特許文献２参照）。
【先行技術文献】
【特許文献】
【０００５】
【特許文献１】特開平２−３１８０７号公報
【特許文献２】特開平５−２２８６９５号公報
【発明の概要】
【発明が解決しようとする課題】
【０００６】
しかしながら、前記特許文献１の懸濁液を濾過する装置においては、小径円板状濾片の細い隙間は食い込む形で回転する大径円板状濾片の厚さより僅かでも広くならなければならないが、大径円板状濾片が回転軸に完全固定されており同一軌道を回転するため、本来掻きださなければならない濾過脱水物のケーキが細い隙間で大径円板状濾片の厚みを除く領域が付着固形化し、濾過面の目詰りが発生することで懸濁液の固液分離ができなくなり、また、大・小径円板状濾片は０．２ｍｍ〜１ｍｍ程度の極く薄いものであるので、そのプレス加工やレーザー加工の際に加工歪や熱歪が生じるため、歪取りが必要であり、円板状濾片の径を大きくすると、歪の影響が顕著となり相隣接する小径円板状濾片の細かい隙間を構成する大径円板状濾片の両側面が接触干渉されて、積層濾体の回転軸トルクが増大することに加えて、大・小円板状濾片の摩耗が早まることとなり、更に、大径および小径円板状濾片を積層固定することで濾過溝を形成していることから、濾過溝の幅と位置の精度は両濾片の厚みと平坦度の精度および積層組立時の締付加減等に大きく影響されるので、組立時には細心の注意と調整が必要とされることから、組立には多くの労力と熟練が必要とされるという欠点があった。
【０００７】
また、特許文献２記載の固液分離装置においては、スクリューコンベアが汚泥水を流入口から排出口まで押し出すように分離を行う構成であるため、汚泥水の流入口側のスペーサが磨耗しやすく、都度部品交換を要するという欠点があった。
【０００８】
そこで、本発明は前記問題点を鑑み、樹脂成型時に濾片に生じる歪みを抑制し、各濾片の組み立てを容易にすることが可能な固液分離装置を提供することを目的とする。
【課題を解決するための手段】
【０００９】
本発明の請求項１に係る固液分離装置は、原液供給口および固分排出口と、回転軸の外周に挿入され、濾液を通過させる濾過溝が形成された複数の積層濾体と、を備え、複数の積層濾体は、原液供給口と固分排出口との間で上下２列に配置されており、積層濾体は、回転軸の軸方向に突出する凸子を一体的に有する複数の凸子濾片と、軸方向に移動可能なように凸子濾片間に配置され、凸子に嵌め込まれる濾過プレートとを含む。
【００１０】
本発明の請求項１に記載の固液分離装置において、本発明の請求項２に係る発明は、濾過プレートは、凸子濾片よりも大きな直径を有する複数の大径濾過プレートと、凸子濾片よりも小さな直径を有する複数の小径濾過プレートとを有する。
【００１１】
本発明の請求項２に記載の固液分離装置において、本発明の請求項３に係る発明は、積層濾体は、隣接する凸子濾片間の隙間に、大径濾過プレートおよび小径濾過プレートが交互に１つずつ配置されている。
【００１２】
本発明の請求項２または３に記載の固液分離装置において、本発明の請求項４に係る発明は、上下２列に配置される複数の積層濾体は、各列ごとに、各々の積層濾体が互いに隣接して配置され、互いに隣接して配置される一方の積層濾体の大径濾過プレートの外周縁が、他方の積層濾体の濾過溝内で小径濾過プレートの外周縁と対向するように配置されている。
【００１３】
本発明の請求項１〜４のいずれか一項に記載の固液分離装置において、本発明の請求項５に係る発明は、凸子は、凸子濾片の軸方向の一方表面に設けられる第１凸子と、凸子濾片の軸方向の他方表面に設けられ、軸方向において第１凸子よりも突出高さが高くなる第２凸子とを有する。
【００１４】
本発明の請求項１〜５のいずれか一項に記載の固液分離装置において、本発明の請求項６に係る発明は、凸子は、凸子濾片の表面において、周方向に間隔を隔てて複数設けられている。
【００１５】
本発明の請求項１〜６のいずれか一項に記載の固液分離装置において、本発明の請求項７に係る発明は、凸子の頂部には、窪みが設けられている。
【００１６】
本発明の請求項１〜７のいずれか一項に記載の固液分離装置において、本発明の請求項８に係る発明は、凸子濾片は、樹脂材料により凸子が一体的に形成されている。
【発明の効果】
【００１７】
本発明の請求項１の発明に係る固液分離装置によれば、固液分離装置において、各濾片間を所要間隔の濾過溝に保持するための間隔保持具を該濾片の表裏面に凸子として一体的に樹脂成型することで、濾片の金型を調整するのみで精度よく積層可能な濾片を構成することが可能となる。
【図面の簡単な説明】
【００１８】
【図１】本発明の実施例１における多重円板式の固液分離装置の縦断面図である。
【図２】図１のＸ−Ｘ線矢視方向の断面図である。
【図３】本発明の実施例１の積層濾体の、（ａ）は正面図、（ｂ）はその縦断側面図である。
【図４】本発明の実施例１の複数の積層濾体の、隣接態様を示した要部拡大側面図である。
【図５】本発明の実施例１の積層濾体を構成する大径濾過プレートの、（ａ）は正面図、（ｂ）はその縦断側面図である。
【図６】本発明の実施例１の積層濾体を構成する小径濾過プレートの、（ａ）は正面図、（ｂ）はその縦断側面図である。
【図７】本発明の実施例１の積層濾体を構成する凸子濾片の、（ａ）は正面図、（ｂ）は（ａ）の縦断側面図で凸子の凸設高さを表裏面で同一にしたもので、（ｃ）は（ａ）の縦断側面図で凸子の凸設高さを一方の面を他方の面より高く構成したものである。
【図８】参考例１における複数の積層濾体の、隣接態様を示した要部拡大側面図である。
【図９】本発明の実施例１を基にした実施例２における固液分離装置の縦断面図である。
【図１０】図９のＸ−Ｘ線矢視方向の断面図である。
【図１１】本発明の実施例２の積層濾体の、（ａ）は正面図、（ｂ）はそのＡ−Ａ断面図である。
【図１２】本発明の実施例２の複数の積層濾体の、隣接態様を示した要部拡大側面図である。
【図１３】本発明の実施例２の積層濾体を構成する大径濾過プレートの、（ａ）は正面図、（ｂ）はその縦断側面図である。
【図１４】本発明の実施例２の積層濾体を構成する小径濾過プレートの、（ａ）は正面図、（ｂ）はその縦断側面図である。
【図１５】本発明の実施例２の積層濾体を構成する凸子濾片の、（ａ）は正面図、（ｂ）は（ａ）のＡ−Ａ断面図で凸子５ｔの凸設高さを表裏面で同一にしたもので、（ｃ）は（ａ）のＡ−Ａ断面図で凸子５Ｔの凸設高さを一方の面を他方の面より高く構成したものである。
【図１６】参考例２におけるスクリュー式の固液分離装置の縦断側面図である。
【図１７】図１６のＸ−Ｘ線矢視方向の拡大断面図である。
【図１８】参考例２のスクリューコンベアの回転により濾過プレートが偏心回転する状態を例示した要部縦断側面図である。
【図１９】参考例２のスクリューコンベアの回転により濾過プレートが偏心回転する状態を例示した要部縦断側面図である。
【発明を実施するための形態】
【００１９】
以下、本発明の懸濁汚水に含まれる固分と液分に分離濾過する固液分離装置において、各濾片間を所要間隔の濾過溝に保持するための間隔保持具を該濾片の表裏面に凸子として一体的に樹脂成型するか、或いは別体のスペーサとして各濾片間に介装させながら各濾片を積層状に定着させ、前記各濾過溝内に揺動可能に濾過プレートを遊嵌して形成された各細隙を濾水流出溝として形成された積層濾体によって、懸濁汚水に含まれる懸濁微粒子の固分回収排出と懸濁微粒子の少ない液分排水とに効率よく分離濾過するように構成される実施形態として、以下の如く本願発明の実施例に基づき、図面を参照して詳細に説明するが、この実施例の形態により本発明が限定されるものではない。
【実施例１】
【００２０】
本発明の実施例１の多重円板式の固液分離装置１０Ｔについて、図１ないし図７を用いて説明すると、固液分離装置１０Ｔの上部に懸濁汚水の原液を供給する原液供給口１１を開設すると共に、下部には固液分離された濾液を固液分離装置１０Ｔの外に排水する濾液排水口１３を開設し、固液分離装置１０Ｔの側面部には固液分離された固分の濾過脱水物のケーキを固液分離装置１０Ｔの外に排出回収する固分排出口１２が開設されており、前記原液供給口１１と固分排出口１２との間に、図１に示すように該固分排出口１２の排出方向へ昇り勾配状の等間隔で上下２段に対向配列された複数の積層濾体１が配設されており、図３および図５ないし図７に示すように該積層濾体１を構成する複数の凸子濾片５の表裏面の３箇所以上に、中央に窪みＲが設けられた凸子５ｔを一体的に樹脂成型し、該凸子５ｔは一方の面側の凸子を他方の面側の凸子より高く凸設することも可能であるが、望ましくは同じ高さで凸設され、凸子５ｔ端面を当接させて濾過溝Ｓを形成させながら、各濾過溝Ｓ内を交互に大径濾過プレート２と小径濾過プレート３を軸方向に移動可能なように介装させ、凸子濾片５と、大径濾過プレート２あるいは小径濾過プレート３の細隙を濾水流出溝Ｇとし、具体的には円形の一部を平面状にカットしたＤカットあるいはキー（図示せず）等の係止機能を有した、図２に示されるように固液分離装置１０Ｔの正面側側壁１０ｆおよび背面側側壁１０ｒの外側に設けられた軸受９によって軸支されると共に、該正面側側壁１０ｆの外側に設けられた駆動伝達具８（例えばウォームギヤー等）によって回転駆動される回転軸４と同調回転するように、該回転軸４の係止形状に嵌るように中心に軸孔が穿設された直径の異なる凸子濾片５、大径濾過プレート２、小径濾過プレート３を、例えば（ア）先ず回転軸４外周に凸子濾片５を挿入させて、（イ）次に先に挿入した凸子濾片５の凸子５ｔが大径濾過プレート２の凸子遊嵌孔２ｈに嵌るように該大径濾過プレート２を回転軸４に挿入させ、（ウ）次に凸子濾片５を回転軸４に挿入させて凸子濾片５の裏面側の凸子５ｔ端面と、先の凸子濾片５の表面側の凸子５ｔ端面同士を衝合させて濾過溝Ｓを形成し、先に挿入した大径濾過プレート２を保持し、（エ）次に小径濾過プレート３の凸子切欠孔３ｈを凸子５ｔに嵌るように該小径濾過プレート３を回転軸４に挿入させて、（オ）次の凸子濾片５を回転軸４に挿入させて凸子５ｔ端面と、先の凸子５ｔ端面同士を当接させて濾過溝Ｓを形成させて、小径濾過プレート３を保持し、上記（ア）から（オ）の手順を繰返すことで形成された複数の積層濾体１を、図４に示すように相隣接する積層濾体１の一方の積層濾体１における大径濾過プレート２の外周縁を他方の積層濾体１の濾過溝Ｓ内に突入させて他方の凸子濾片５の凸子５ｔと小径濾過プレート３の外周縁に接近した態様とし、処理液中に含まれる回収微粒子を効率よく回収するように固液分離装置１０Ｔの供給側側壁１０ｓと排出側側壁１０ｄに付設されたシール部材７の要部外縁を、該固分排出口１２側終端の上下２段と原液供給口１１側始端の下段の積層濾体１の凸子濾片５外周縁に僅かな隙間を隔てて近接対向し、望ましくは該シール部材７の外縁部に摺動抵抗の少ないブラシを付設することでより一層シール機能を向上し得ると共に回転軸４のトルク増加を抑制し、大径濾過プレート２および小径濾過プレート３は、該濾過溝Ｓ内を軸方向に揺動しながら該回転軸４と同調回転できるように構成されている。
【参考例１】
【００２１】
また、参考例１では、図８に示すように凸子５ｔを凸子濾片５に一体的に樹脂成型するのではなく、例えば濾片６の次に別体のスペーサ６ｓを回転軸に挿入し、スペーサ６ｓの外周部分に位置するように大径濾過プレート２もしくは小径濾過プレート３を挿嵌して構成することも可能であり、また濾片６の平面状に複数個スペーサを取り付けて各濾片間を所要間隔の濾過溝に保持するための間隔保持具として構成することも可能である。
【実施例２】
【００２２】
前記実施例１に基づいて、例えば図９ないし図１５を用いて説明すると、前記積層濾体１において、図１２ないし図１４に示すように凸子濾片５と大径濾過プレート２には濾液孔１５および小径濾過プレート３には濾液切欠孔１６をそれぞれ同心状に穿設し、図９ないし図１１に示すように該濾液孔１５および濾液切欠孔１６は積層後の上記積層濾体１内に濾液路１４を形成し、該濾液路６の送液終端開口部は前記固液分離装置１０Ｔの背面側側壁１０ｒの外側に付設された濾液室１７内に導通され、該濾液室１７下壁に濾液室排水口１８を開設するように構成されている。
【参考例２】
【００２３】
参考例２のスクリュー式の固液分離装置１０Ｓについて、図１６ないし図１８を用いて説明すると、原動機２３によって駆動されることで回転するスクリューコンベア２２が積層濾体１の中心孔２１に嵌装されており、スクリューコンベア２２の回転に伴い、外径が凸子濾片５・・５の内径より小さく、濾過プレート１９・・１９の内径より大きく構成されたスクリューブレード２２Ｂが回転することで、凸子濾片５・・５の外側に形成された座部２０・・２０の表裏面の３箇所以上に、望ましくは同じ高さで一体的に樹脂成型されて凸設される凸子５ｔ同士が当接されて構成される凸子濾片５・・５の各積層間に遊嵌される濾過プレート１９・・１９の内周部にスクリューブレード２２Ｂの外縁が摺接して偏心回転させ、原液供給口１１から筒状の積層濾体１内へ送り込まれた懸濁汚水の原液は、スクリューブレード２２Ｂに沿って旋回しながら軸方向へ前進し、凸子濾片５・・５の各積層間と濾過プレート１９・・１９により形成された濾水流出溝Ｇから濾過された濾水を流出し、脱水されて含水比の低くなった固分は前方の吐出圧調整弁２４を押し出すことで固分排出口１２から順次排出されるよう構成されている。
【００２４】
また、図１９に示すように凸子５ｔを凸子濾片５に一体的に樹脂成型するのではなく、例えば濾片６の座部２０・・２０にそれぞれ別体のスペーサ６ｓを設け、ボルト等によりスペーサ６ｓを固定することで、各濾片間を所要間隔の濾過溝に保持するための間隔保持具として構成することも可能である。
【符号の説明】
【００２５】
１  積層濾体
２  大径濾過プレート
３  小径濾過プレート
５  凸子濾片
５ｔ  凸子
６  濾片
６ｓ  スペーサ
１０Ｔ  固液分離装置（多重円板式）
１０Ｓ  固液分離装置（スクリュー式）
１１  原液供給口
１２  固分排出口
１３  濾液排水口
１４  濾液路
１５  濾液孔
１６  濾液切欠孔
１７  濾液室
１８  濾液室排水口
１９  濾過プレート
２１  中心孔
２２  スクリューコンベア
２２Ｂ  スクリューブレード
Ｇ  濾水流出溝
Ｒ  窪み
Ｓ  濾過溝
【図１】
0006401356.tif 000002
【図２】
0006401356.tif 000003
【図３】
0006401356.tif 000004
【図４】
0006401356.tif 000005
【図５】
0006401356.tif 000006
【図６】
0006401356.tif 000007
【図７】
0006401356.tif 000008
【図８】
0006401356.tif 000009
【図９】
0006401356.tif 000010
【図１０】
0006401356.tif 000011
【図１１】
0006401356.tif 000012
【図１２】
0006401356.tif 000013
【図１３】
0006401356.tif 000014
【図１４】
0006401356.tif 000015
【図１５】
0006401356.tif 000016
【図１６】
0006401356.tif 000017
【図１７】
0006401356.tif 000018
【図１８】
0006401356.tif 000019
【図１９】
0006401356.tif 000020